(57)【要約】【課題】  緯糸の測長ドラムへの巻付間隔を維持して、緯糸の隣接部分同士の干渉を抑えることにより、緯糸の解舒不良が生じるのを避ける。【解決手段】  測長ドラムの外周面から突出し該外周面に巻かれた緯糸と係合して前方に傾斜することにより緯糸を前方に移動させる送り片を備える無杼織機の緯糸測長貯留装置であり、該緯糸測長貯留装置は、送り片の外側面、および測長ドラムの外周面の少なくとも一方に、前後方向に離間する複数の溝が設けられる。【選択図】図１
2004232189.tif 000002
【特許請求の範囲】
【請求項１】
測長ドラムの外周面から突出し該外周面に巻かれた緯糸と係合して前方に傾斜することにより緯糸を前方に移動させる送り片を備える無杼織機の緯糸測長貯留装置において、送り片の外側面、および測長ドラムの外周面の少なくとも一方に、前後方向に離間する複数の溝が設けられることを特徴とする無杼織機の緯糸測長貯留装置。
【請求項２】
前記複数の溝は、送り片の外側面に設けられることを特徴とする請求項１記載の無杼織機の緯糸測長貯留装置。
【請求項３】
前記複数の溝は、互いに前後方向に最も接近する各２つの溝が、送り片の１緯糸送り量以下の前後方向の間隔で配設されていることを特徴とする請求項１ないし請求項２記載の無杼織機の緯糸測長貯留装置。
【請求項４】
前記各溝の両溝壁は互いに異なる傾斜角度で形成され、前方側の溝壁は後方側の溝壁よりも小さい傾斜角度で形成されることを特徴とする請求項１ないし請求項３記載の無杼織機の緯糸測長貯留装置。
【発明の詳細な説明】
【技術分野】
【０００１】
本発明は、緯糸送り機構を備えた無杼織機の緯糸測長貯留装置に関する。
【背景技術】
【０００２】
緯糸送り機構を備えた無杼織機の緯糸測長貯留装置において、一般に緯糸送り機構は、緯糸を測長ドラムに巻き付ける回転ヤーンガイドの回転軸に設けられる偏心傾斜ブッシュと、測長ドラムの円周方向に沿って配設される複数の緯糸の送り片とにより形成される。（例えば、特許文献１参照。）
【０００３】
特許文献１の緯糸送り機構を備えた無杼織機の緯糸測長貯留装置では、偏心傾斜ブッシュは回転軸に対して偏心する部材と回転軸に対して傾斜する部材とによって形成され、送り片はベアリングを介してそのような偏心傾斜ブッシュと係合すると共に、送り片は測長ドラム側と送り片側にそれぞれ設けられる永久磁石同士の吸引作用によって、測長ドラムとの相対回転が規制される。送り片は、回転軸の回転に伴って半径方向を外側に向かって測長ドラムの外周面から突出し、巻かれた緯糸と係合した後、前方、即ち緯糸解舒側に傾斜し、これにより係合する緯糸は前方に運ばれる。その後、送り片は回転軸の回転に伴い内側に向かって測長ドラムの外周面から後退しながら、後方、即ち反緯糸解舒側に傾斜し、緯糸は前方に運ばれた状態のまま送り片との係合が解消される。
【０００４】
回転軸の回転運動に伴う送り片のこの一連の緯糸送り運動によって、緯糸は、回転軸の１回転毎、即ち回転ヤーンガイドの１回転毎に所定の１緯糸送り量だけ運ばれて前方に移動し、測長ドラムに所定の１緯糸送り量の間隔で巻かれると共に、その巻付間隔を維持した状態で前方に運ばれる。これにより測長ドラムに巻かれた緯糸の隣接部分同士が、接近したり接触して互いに干渉するのを避けている。即ち、緯糸の隣接部分において、後方側が前方側に重なったり、前方側に生じている毛羽が後方側によって所謂踏まれて押さえられたり、場合によっては前方側と後方側に生じている毛羽同士が絡まり、そのため解舒不良を生じることが避けられる。
【特許文献１】特開２００１−１９２９５１号
【発明の開示】
【発明が解決しようとする課題】
【０００５】
緯糸の給糸パッケージからの解舒抵抗、即ちは解舒張力は、給糸パッケージの先端側からの解舒時は低くなり、後端側からの解舒時は高くなって、給糸パッケージの解舒位置の変化に伴って絶えず変動する。緯糸が消費されて給糸パッケージの径が小さくなる程、解舒張力は大きくなると共に変動も大きくなる。また、リボン巻きや毛羽等の解舒に伴って現れる給糸パッケージの異常によっても変動している。また、給糸パッケージの切り換え時にも給糸径が異なること等を原因として大きく変動している。緯糸は、解舒張力が高いと、巻付張力が高くなって締まり状態で測長ドラムに硬く巻かれ、解舒張力が低いと、巻付張力が低くなって弛み状態で測長ドラムに柔らかく巻かれる。
【０００６】
送り片は、測長ドラムの外周面から突出して外側面が緯糸と係合した状態で前方に移動することによって、緯糸を前方に運んでいるが、その際、送り片の緯糸搬送量は、緯糸の測長ドラムへの巻き付け状態によって影響を受ける。即ち、緯糸が締まり状態で測長ドラムに硬く巻かれていると、緯糸は送り片の外側面を滑り易くなる。そのため送り片の緯糸搬送量は小さくなる。逆に緯糸が弛み状態で測長ドラムに柔らかく巻かれていると、緯糸は送り片の外側面を滑るのが抑えられ、送り片の緯糸搬送量は大きくなる。
【０００７】
このように、緯糸は給糸パッケージの解舒張力の変動によって測長ドラムへの巻き付け状態が変動し、巻き付け状態の変動に伴って送り片の緯糸搬送量が変動するため、緯糸の測長ドラムへの巻付間隔は一定に維持されない。そのため、巻付間隔が狭い部分では、緯糸の隣接部分同士の干渉が生じる恐れがあり、後方側が前方側に重なったり、前方側に生じている毛羽が後方側によって所謂踏まれて押さえられたり、場合によっては前方側と後方側に生じている毛羽同士が絡まり、そのため解舒不良を生じる。
【０００８】
また、太い緯糸の場合、緯糸は大きなルーンを描いて給糸パッケージから解舒され、そのため大きな遠心力が生じて巻付張力が高くなる。そのため、緯糸は送り片の外側面を滑り、送り片の緯糸搬送量は小さくなる。また、製織条件によっては張力付与装置を用い巻付張力を高めて緯糸を測長ドラムに巻き付ける場合があり、太い緯糸の場合と同様、送り片の緯糸搬送量は小さくなる。いずれの場合も緯糸の測長ドラムへの巻付間隔が狭くなるので、緯糸の隣接部分同士の干渉が生じる恐れがあり、太い緯糸の場合や張力付与装置を用いた場合も、緯糸の解舒不良を生じ易くなる。
【０００９】
更に、測長ドラムの外周面形成部分は、本体への取付基部から送り片に向かって延在して内側に送り片の収容空間を有しており、薄肉に形成されている。そのため、給糸パッケージからの解舒張力の変動が大きく、緯糸が測長ドラムに硬く巻かれたり柔らかく巻かれたりすると、測長ドラムは、硬く巻かれた部分が内側に向かって変形して小径となって、小径部分と大径部分が生じる。測長ドラムに巻き付けられている緯糸は、滑りや転がりによって小径部分に移動するので、巻付間隔は一定に維持されなくなる。特に、緯糸の巻付径を調整するため、測長ドラムが、複数の部材、即ち複数のドラム片から形成されて各ドラム片が円周方向に互いに繋がっていない場合、硬く巻かれた部分の変形が大きくなって、測長ドラムの径の均一性が大きく損なわれるため、緯糸の巻付間隔を一定に維持するのが困難である。
【００１０】
このように、緯糸の給糸パッケージからの解舒張力の変動によって、測長ドラムの外周面の径が変化し、そのため緯糸の巻付間隔が一定に維持されなくなるで、緯糸の隣接部分同士の干渉が生じて解舒不良を生じる。
【００１１】
また、太い緯糸の場合や張力付与装置を用いた場合、緯糸は高い巻付張力で測長ドラムに巻き付けられるので、硬く締まった状態に巻かれる。本体への取付基部から離れた部分などの変形し易い部分は、そのため変形して小径となり、測長ドラムは径の均一性が損なわれて、小径部分と大径部分が生じる。測長ドラムに巻き付けられている緯糸は、小径部分に移動するので、小径部分では巻付間隔は狭くなって、緯糸の隣接部分同士の干渉が生じて、太い緯糸の場合や張力付与装置を用いた場合も解舒不良を生じ易くなる。
【００１２】
以上の従来技術の問題点を鑑み、本発明の目的は、緯糸送り機構を備えた無杼織機の緯糸測長貯留装置において、緯糸の測長ドラムへの巻付間隔を維持して、緯糸の隣接部分同士の干渉を抑えることにより、緯糸の解舒不良が生じるのを避けることにある。
【課題を解決するための手段】
【００１３】
本発明は、上記目的を達成するためになされたものであって、測長ドラムの外周面から突出し該外周面に巻かれた緯糸と係合して前方に傾斜することにより緯糸を前方に移動させる送り片を備える無杼織機の緯糸測長貯留装置において、送り片の外側面、および測長ドラムの外周面の少なくとも一方に、前後方向に離間する複数の溝が設けられる（請求項１）。
【００１４】
更に、前記複数の溝は、送り片の外側面に設けられる（請求項２）。
【００１５】
また、前記複数の溝は、互いに前後方向に最も接近する各２つの溝が、送り片の１緯糸送り量以下の前後方向の間隔で配設されている（請求項３）。
【００１６】
また、前記各溝の両溝壁は互いに異なる傾斜角度で形成され、前方側の溝壁は後方側の溝壁よりも小さい傾斜角度で形成される（請求項４）。
【発明の効果】
【００１７】
請求項１によれば、送り片の外側面、および測長ドラムの外周面の少なくとも一方に、前後方向に離間する複数の溝が設けられているので、緯糸の測長ドラムへの巻付間隔はほぼ一定に維持されて、緯糸の隣接部分同士の干渉が避けられ、緯糸の解舒不良の発生を抑えることができる。
【００１８】
即ち、送り片の外側面に前後方向に離間する複数の溝が設けられておれば、緯糸は送り片によって前方に運ばれる際に、外側面を滑るのを溝の溝壁によって規制されるので、巻付張力によって影響を受けることなく、即ち、緯糸が測長ドラムに高張力で巻かれていても、また低張力で巻かれていても、送り片の緯糸搬送量はほぼ一定に維持される。送り片の緯糸搬送量はほぼ一定に維持されるので、緯糸の測長ドラムへの巻付間隔は、粗密が生じることなくほぼ一定に維持され、緯糸の隣接部分同士の干渉が避けられる。
【００１９】
また、測長ドラムの外周面に前後方向に離間する複数の溝が設けられておれば、緯糸の測長ドラムへの巻付間隔は、巻付張力による測長ドラムの変形の影響を受けることなく、ほぼ一定に維持されて、緯糸の隣接部分同士の干渉が避けられ、緯糸の解舒不良の発生を抑えることができる。即ち、緯糸が高張力で巻かれ、そのため測長ドラムが変形して外周面に部分的な小径部分が生じても、緯糸は小径部分への移動、即ちズレが、溝の溝壁によって規制されるので、緯糸の測長ドラムへの巻付間隔は、粗密が生じることなくほぼ一定に維持され、緯糸の隣接部分同士の干渉が避けられる。
【００２０】
送り片の１緯糸送り量は、送り片が、測長ドラムの外周面から突出して緯糸と係合を開始し、係合状態で前方に傾斜して緯糸を前方に移動させ、緯糸を前方に移動させた状態で測長ドラムの外周面から後退して緯糸との係合を解消するまでの送り片の一連の動作によって生じる緯糸の測長ドラムにおける前方への移動量である。請求項３によれば、前記複数の溝は、互いに前後方向に最も接近する各２つの溝が、送り片の１緯糸送り量以下の前後方向の間隔で配設されているので、巻き付けられた緯糸は隣接部分がそれぞれ別の溝と係合可能となる。そのため、隣接部分同士が１つの同じ溝と係合することがなく、即ち１つの同じ溝に入ることがなく、隣接部分同士が干渉するのを回避できる。
【００２１】
請求項４によれば、前記各溝の両溝壁は互いに異なる傾斜角度で形成され、前方側の溝壁は後方側の溝壁よりも小さい傾斜角度で形成される。
【００２２】
送り片の各溝がそのように形成されておれば、緯糸は前方側の溝壁によって妨げられることなく解舒され、解舒不良が生じるのを回避できる。また後方側の溝壁の方が傾斜角度が大きいので、緯糸は後方側の溝壁によって確実に滑りが規制され、より確実に前方に送られる。
【００２３】
測長ドラムの各溝がそのように形成されておれば、緯糸は前方側の溝壁によって妨げられることなく解舒され、解舒不良が生じるのを回避できる。
【発明を実施するための最良の形態】
【００２４】
以下、本発明の実施の形態を図面に基づいて説明する。図１から図４に示すのは、緯糸送り機構を備えた無杼織機の緯糸測長貯留装置５０における本発明の第１の実施例である。図１、図２は全体図であり、図１は断面を示す側面図、図２は立面図である。図３は図１の下方部分に描かれるドラム片８と送り片７の要部拡大図であり、図１の下方部分を反転して示す。図４は図３の平面図である。
【００２５】
緯糸測長貯留装置５０は、図示しない保持部材に取り付けられる本体１と、図示しないモータによって駆動され図示しない給糸パッケージから供給される緯糸２１の導糸孔を有する回転軸２と、回転軸２に一体的に固定され前記導糸孔と連通する回転ヤーンガイド６と、ベアリング１５、１５を介して回転軸２と係合すると共に、永久磁石１２を有し本体１の永久磁石１２との永久磁石１２同士の磁力作用によって回転が規制されるドラム片ホルダ４と、ドラム片ホルダ４にボルト１８を介して固定され、回転軸２の円周方向に沿って等分に配設される複数（本実施例では４つ）のドラム片８によって形成される測長ドラム３０と、回転軸２の前方側の端部、即ち緯糸２１の解舒側の端部にボルト１６を介して固定され、回転軸２に対して偏心しかつ傾斜する偏心傾斜ブッシュ３と、ベアリング１４を介して偏心傾斜ブッシュ３と係合すると共に、永久磁石１３を有しドラム片ホルダ４の永久磁石１３との永久磁石１３同士の磁力作用によって回転が規制される送り片ホルダ５と、送り片ホルダ５にボルト１７を介して固定され、回転軸２の円周方向に沿って等分に配設されて各ドラム片８と対向する複数（本実施例では４つ）の送り片７と、ドラム片８の解舒側の端部に配設され図示しない電動アクチュエータによって駆動されてドラム片８の貫通孔に進退可能な係止ピン１１とを含む。各ドラム片８のドラム片ホルダ４への取付位置を半径方向に調整し、ドラム片８の調整に伴って対向する各送り片７の送り片ホルダ５への取付位置を調整することにより、測長ドラム３０の緯糸巻付長さを調整することが可能である。
【００２６】
測長ドラム３０を形成する各ドラム片８は、ドラム片ホルダ４への取付基部である基部８ａと、円弧状の薄肉断面を有して基部８ａから緯糸２１の解舒側方向に延在する緯糸巻付部８ｂとから形成され、各緯糸巻付部８ｂの外側面８ｄは、回転軸２と同軸かつ平行な円弧面で形成されて測長ドラム３０の外周面を形成する。また各送り片７は、送り片ホルダ５への取付基部である基部７ａと、円弧状の薄肉断面を有して基部７ａから緯糸２１の反解舒側方向に延在するドラム対向部７ｅと、ドラム対向部７ｅの外側面から突出して前後方向に延在し、ドラム片８の緯糸巻付部８ｂに形成される貫通溝２２に挿通可能な緯糸送り部７ｂとを有する。緯糸送り部７ｂは、各送り片７に複数（本実施例では４つ）設けられて円周方向に沿って配設され、それぞれ測長ドラム３０から突出可能な外側面７ｄを有する。
【００２７】
緯糸送り機構は、偏心傾斜ブッシュ３と、複数の送り片７と、送り片７の回転を規制しながら複数の送り片７を偏心傾斜ブッシュ３と係合させるベアリング１４、送り片ホルダ５、永久磁石１３、１３とにより形成される。偏心傾斜ブッシュ３の軸線は、回転軸２に対する偏心方向と所定の角度（本実施例では約９０°）の位相差で回転軸２に対して傾斜している。送り片７は、永久磁石１３同士と永久磁石１２同士の各磁力作用によって回転が規制され、かつ偏心傾斜ブッシュ３を介して回転軸２と係合している。送り片７は、回転軸２の回転に伴って緯糸送り部７ｂが貫通溝２２に挿通されて、ドラム片８の緯糸巻付部８ｂの外側面８ｄから突出して緯糸２１と係合し、最大に突出した後に、外側面８ｄから後退しながら回転軸２の所定の回転（本実施例では約９０°）で前方側、即ち緯糸２１の解舒側へ最大に傾斜する。その後、送り片７は、反解舒側方向に傾斜しながら外側面８ｄから更に後退することにより、緯糸２１との係合が解消されて、緯糸２１は、送り片７と係合する前よりも前方のドラム片８上に位置する。
【００２８】
以上の緯糸送り機構による送り片７の緯糸送り運動を、図５〜図９の模式図を用いて説明する。右側の図面は、左側の図面の断面図であり、左側の図面における解舒側から見た回転軸２と偏心傾斜ブッシュ３の回転位置を示す。後の番号の図面は、その１つ前の番号の図面の状態から回転軸２が矢印方向に９０°回転した状態を示す。
【００２９】
図５において、上側の送り片７は、反解舒側方向に傾斜しつつあり、また最も内側の位置にあってドラム片８から最も後退しており、緯糸２１は上側のドラム片８上に在る。図５の状態から上側の送り片７は、次第に外側方向へドラム片８に向かって進出しながら更に反解舒側方向に傾斜し、図６において、最大に反解舒側へ傾斜する。その後、上側の送り片７は解舒側方向に傾斜しながら更に外側方向へドラム片８に向かって進出し、図７において最大にドラム片８から突出して、緯糸２１と係合する。その後、上側の送り片７は、内側方向へドラム片８から後退しながら、更に解舒側方向に傾斜して、図８において最大に解舒側方向へ傾斜し、送り片７と係合している緯糸２１は解舒側、即ち前方に移動する。その後、上側の送り片７は反解舒側方向に傾斜しながら更に内側方向へドラム片８から後退して、図９、即ち図５から回転軸２が１回転した図９において、最も内側の位置にあってドラム片８から最も後退する。上側の送り片７のドラム片８からの後退に伴って、上側の送り片７と緯糸２１は係合が解消されて、緯糸２１は、前方に移動した状態でドラム片８と再び接することにより、ドラム片８に対して図５におけるよりも前方に移動した状態となる。
【００３０】
ドラム片８と該ドラム片８に対向する送り片７とからなる対が、複数対（本実施例では４対）設けられ、隣接する対は、回転軸２の円周方向に所定の角度差（本実施例では９０°）をもって配設されている。従って、各送り片７による緯糸送り運動は、回転軸２の所定の位相差（本実施例では９０°）で行われ、各ドラム片８と接する緯糸２１の各部分は、所定の位相差をもってそれぞれのドラム片８上を順次、前方に送られる。
【００３１】
図示しない給糸パッケージからの緯糸２１は、回転軸２と回転ヤーンガイド６のそれぞれの導糸孔を通過して回転ヤーンガイド６の先端の緯糸巻付部に達し、回転軸２の回転によって測長ドラム３０の外周面、即ち各ドラム片８の緯糸巻付部８ｂの外側面８ｄに巻き付けられる。緯入れ開始時には、係止ピン１１がドラム片８の貫通孔から後退することにより、係止ピン１１によって解舒が規制されている緯糸２１は解舒可能となる。
【００３２】
緯糸送り機構による送り片７の１緯糸送り量は、回転軸２の１回転毎に送り片７が行う緯糸２１の送り量であり、前述のように、送り片７がドラム片８に進出して緯糸２１と係合を開始し、係合状態で前方に傾斜して緯糸２１を前方に移動させ、緯糸２１を前方に移動させた状態でドラム片８から後退して緯糸２１との係合を解消することにより生じる緯糸２１の前方への移動量である。
【００３３】
送り片７の各緯糸送り部７ｂの外側面７ｄには、外側面７ｄの後側端部から前側端部に亘って、前後方向に離間する複数の溝７ｃが設けられおり、複数の溝７ｃは回転軸２の円周方向に延在して互いに平行に設けられ、また隣接する２つの溝７ｃは１緯糸送り量の約１／２の間隔で配設されている。溝７ｃの断面は、円弧状の溝底と、前方側の溝壁と、後方側の溝壁とによって形成され、前方側の溝壁と後方側の溝壁とは、共に４５°の等しい傾斜角度で形成されている。
【００３４】
ドラム片８の緯糸巻付部８ｂの外側面８ｄには、外側面８ｄの後側端部から前側端部に亘って、前後方向に離間する複数の溝８ｃが設けられおり、複数の溝８ｃは回転軸２の円周方向に延在して互いに平行に設けられ、また隣接する２つの溝８ｃは１緯糸送り量の約１／２の間隔で配設されている。溝８ｃの断面は、円弧状の溝底と、前方側の溝壁と、後方側の溝壁とによって形成され、前方側の溝壁と後方側の溝壁とは、共に４５°の等しい傾斜角度で形成されている。
【００３５】
上側の送り片７は、図６の最大にドラム片８から突出した状態から、図７の前方に向かって最大に傾斜した状態に移行するが、その移行の際に、緯糸２１の送り片７と係合している部分は、巻付張力が高く、緯糸２１が締まった状態で硬く巻かれている程、緯糸送り部７ｂの外側面７ｄを滑り易い。そのため、解舒張力の変動等を原因とする巻付張力の変動によって、緯糸送り機構の緯糸送り量が一定に維持されず、測長ドラム３０への緯糸２１の巻付間隔に粗密が生じ、等間隔に維持されなくなる。
【００３６】
また、太い緯糸の場合や製織条件の都合上から張力付与装置を用いた場合は、緯糸２１は巻付張力が高くなって、締まった状態で硬く巻かれ、緯糸送り量が小さくなって、緯糸２１の巻付間隔は狭くなる。
【００３７】
いずれの場合も、測長ドラム３０の巻付間隔が狭い箇所では、緯糸２１の隣接部分同士の干渉が生じ易くなり、そのため緯糸２１の解舒不良を生じる。即ち、緯糸２１の隣接部分において、後方側が前方側に重なって所謂踏んだり、または絡まったり、前方側に生じている毛羽が、後方側によって押さえられて所謂踏まれたり、場合によっては隣接部分の毛羽同士が絡まり、それらによって緯糸２１の解舒不良を生じる。
【００３８】
しかし本実施例では、送り片７は前後方向に離間する複数の溝７ｃが設けられており、緯糸２１は溝７ｃの後方側の溝壁によって、送り片７の各緯糸送り部７ｂの外側面７ｄを滑るのが妨げられ、そのため緯糸２１は送り片７によって確実に前方に送られる。よって、測長ドラム３０への緯糸２１の巻付間隔は、給糸パッケージからの解舒張力が変動しても均一に維持され、また巻付張力が高くても狭くならずに維持され、緯糸２１の隣接部分同士の干渉と、干渉に伴う緯入れの際の緯糸２１の解舒不良を回避できる。
【００３９】
測長ドラム３０は、巻付張力が高く、緯糸２１が締まった状態で硬く巻かれている程、内側に向かって変形して径の均一性が損なわれ、小径部分と大径部分が生じる。測長ドラム３０に巻き付けられている緯糸２１は、滑りや転がりによって小径部分に移動するので、巻付間隔は一定に維持されなくなる。
【００４０】
そのため、測長ドラム３０の巻付間隔が狭い箇所、即ち小径部分で、緯糸２１の隣接部分同士の干渉が生じ、緯糸２１の解舒不良が生じる。
【００４１】
しかし本実施例では、ドラム片８は、前後方向に離間する複数の溝８ｃが設けられおり、緯糸２１は溝８ｃの前方側と後方側の両溝壁によって、移動が妨げられ、測長ドラム３０への緯糸２１の巻付間隔は、給糸パッケージからの解舒張力が変動しても均一に維持され、また巻付張力が高くても狭くならずに維持され、緯糸２１の隣接部分同士の干渉と、干渉に伴う緯入れの際の緯糸２１の解舒不良を回避できる。
【００４２】
また、送り片７の各溝７ｃとドラム片８の各溝８ｃは、前後方向において、共に緯糸送り機構による送り片７の１緯糸送り量以下の間隔で設けられているので、緯糸２１は隣接部分同士が１つの同じ溝７ｃ、８ｃと係合することがなく、即ち１つの同じ溝７ｃ、８ｃに入ることがなく、隣接部分同士が干渉するのを回避できる。
【００４３】
図１０に示すのは、本実施例の変形邸である。第１の実施例のドラム片８は、円周方向の両端部に溝８ｃが設けられているのに対し、この変形例のドラム片８は、円周方向の両端部に溝８ｃが設けられていない。
【００４４】
緯糸２１は、緯糸送り運動に伴ってドラム片８から突出した送り片７と係合するが、その際、図２に示されるように、その係合する送り片７と対を構成するドラム片８と前記両端部で接触する。従って緯糸２１は前方に移動するためには、ドラム片８の接触している前記両端部を滑る必要がある。そのため、ドラム片８の前記両端部に溝８が設けられていると、緯糸種によっては、緯糸２１は前記両端部を滑るのを溝８によって妨げられ、十分な緯糸送り量が確保されない場合が生じる。
【００４５】
しかし、本変形例のドラム片８は、前記両端部に溝８ｃが設けられていないので、緯糸２１は溝８によって前記両端部を滑るのを妨げられることがなく、緯糸種に関わらず十分な緯糸送り量を確保できる。
【００４６】
図１１に示すのは、緯糸測長貯留装置５０における本発明の第２の実施例であり、互いに対向して対を形成しているドラム片８と送り片７の要部拡大図である。
【００４７】
本実施例では、ドラム片８は緯糸巻付部８ｂに溝を有せず、送り片７のみに複数の溝７ｃが設けられている。送り片７の各緯糸送り部７ｂの外側面７ｄに形成される各溝７ｃは、緯糸送り機構による送り片７の２緯糸送り量の間隔で前後方向に配設されているが、隣接する緯糸送り部７ｂ同士は、溝７ｃが１緯糸送り量だけ互いに異なって配設されている。そのため、送り片７の複数の溝７ｃは、互いに前後方向に最も接近する各２つの溝７ｃが、送り片７の１緯糸送り量の間隔で前後方向に配設されている。
【００４８】
送り片７において複数の溝７ｃがこのように配設されているので、緯糸２１の隣接部分は、それぞれ異なる緯糸送り部７ｂの溝７ｃと係合し、１緯糸送り量の巻付間隔を維持したまま送り片７と係合することができる。
【００４９】
送り片７の各溝７ｃは、２緯糸送り量の間隔で配設されているので、溝壁の傾斜角度を維持したまま、１緯糸送り量の１／２の間隔で配設されている第１の実施例よりも深い溝を形成してもよく、確実に緯糸２１を前方に送ることができる。溝７ｃは、送り片７の成形型に設けられた溝型よって形成されたり、フライス加工等の機械加工によって形成されるが、第１の実施例よりも溝７ｃが少ないので、成形型の製作や機械加工が容易となる。
【００５０】
本実施例では、ドラム片８は緯糸巻付部８ｂに溝を有せず、送り片７のみに複数の溝７ｃが設けられているが、送り片７に溝を設けず、ドラム片８の緯糸巻付部８ｂのみに溝８ｃを設けても良い。第１の実施例のドラム片８の溝８ｃと同様の作用、および効果を得ることができる。
【００５１】
図１２に示すのは、緯糸測長貯留装置５０における本発明の第３の実施例であり、送り片７の要部拡大図である。
【００５２】
送り片７の溝７ｃの断面は、直線状の溝底と、前方側の溝壁と、後方側の溝壁とによって形成され、後方側の溝壁の傾斜角度は約９０°、また前方側の溝壁の傾斜角度は約３０°に形成されている。このように、後方側の溝壁の方が傾斜角度が大きいので、緯糸２１は後方側の溝壁によって確実に滑りが規制され、確実に前方に送られる。また前方側の溝壁の方が傾斜角度が小さいので、緯糸２１は前方側の溝壁によって妨げられることなく解舒され、解舒不良を回避できる。
【００５３】
図１３に示すのは、緯糸測長貯留装置５０における本発明の第４の実施例であり、送り片７の要部拡大図である。
【００５４】
送り片７の溝７ｃの断面は、直線状の溝底と、前方側の溝壁と、後方側の溝壁とによって形成され、後方側と前方側の溝壁の傾斜角度は、共に約７５°に形成されている。このように後方側と前方側の溝壁の傾斜角度が共に大きいので、溝加工の際に歯先が厚肉の工具を用いることができ、機械加工が容易となる。
【産業上の利用可能性】
【００５５】
本発明は上記のいずれの実施例にも限定されるものではなく、本発明の趣旨を逸脱しない限りにおいて種々に変更することが可能である。
【図面の簡単な説明】
【００５６】
【図１】本発明の第１の実施例の緯糸測長貯留装置の全体図であり、断面を示す側面        図である。
【図２】本発明の第１の実施例の緯糸測長貯留装置の全体図であり、図１において右        側から視た立面図である。
【図３】図１の下方部分に描かれるドラム片と送り片の要部拡大図であり、図１を反        転して示される。
【図４】図３の平面図である。
【図５】送り片の緯糸送り運動を説明する模式図である。
【図６】送り片の緯糸送り運動を説明する模式図である。
【図７】送り片の緯糸送り運動を説明する模式図である。
【図８】送り片の緯糸送り運動を説明する模式図である。
【図９】送り片の緯糸送り運動を説明する模式図である。
【図１０】第１の実施例の変形例の要部拡大図である。
【図１１】本発明の第２の実施例の要部拡大図である。
【図１２】本発明の第３の実施例の要部拡大図である。
【図１３】本発明の第４の実施例の要部拡大図である。
【符号の説明】
【００５７】
１      本体
２      回転軸
３      偏心傾斜ブッシュ
４      ドラム片ホルダ
５      送り片ホルダ
６      回転ヤーンガイド
７      送り片
７ａ    基部
７ｂ    緯糸送り部
７ｃ    溝
７ｄ    外側面
７ｅ    ドラム対向部
８      ドラム片
８ａ    基部
８ｂ    緯糸巻付部
８ｃ    溝
８ｄ    外側面
１１    係止ピン
１２    永久磁石
１３    永久磁石
１４    ボールベアリング
１５    ボールベアリング
１６    ボルト
１７    ボルト
１８    ボルト
２１    緯糸
２２    貫通溝
３０    測長ドラム
５０    緯糸測長貯留装置
【図１】
2004232189.tif 000003
【図２】
2004232189.tif 000004
【図３】
2004232189.tif 000005
【図４】
2004232189.tif 000006
【図５】
2004232189.tif 000007
【図６】
2004232189.tif 000008
【図７】
2004232189.tif 000009
【図８】
2004232189.tif 000010
【図９】
2004232189.tif 000011
【図１０】
2004232189.tif 000012
【図１１】
2004232189.tif 000013
【図１２】
2004232189.tif 000014
【図１３】
2004232189.tif 000015